(57)【要約】【課題】軸方向のばね定数を上げることができる構造でありながら、構造を簡素化でき、組付けを簡単に行うことができる防振ブッシュを提供する。【解決手段】軸直角方向に突出するストッパ３を軸方向の中央に備えた内筒４と、軸方向でストッパ３を挟んで位置する一対の中間筒５と、一方の中間筒５とストッパ３の一方の側面７との間に加硫成形されて一方の中間筒５とストッパ３を連結する第１ゴム状弾性体８と、他方の中間筒５とストッパ３の他方の側面９との間に加硫成形されて他方の中間筒５とストッパ３を連結する第２ゴム状弾性体１０と、軸方向で設定長さだけ互いに近づいた状態の一対の中間筒５に外嵌するとともに、第１ゴム状弾性体８及び第２ゴム状弾性体１０の軸方向の弾性復元力に抗して一対の中間筒５を保持する外筒１１とから成る。【選択図】        図２
2005330976.tif 000002
【特許請求の範囲】
【請求項１】
軸直角方向に突出するストッパを備えた内筒と、前記軸方向で前記ストッパを挟んで位置する一対の中間筒と、一方の中間筒とストッパの一方の側面との間に加硫成形されて前記一方の中間筒とストッパを連結する第１ゴム状弾性体と、他方の中間筒とストッパの他方の側面との間に加硫成形されて前記他方の中間筒とストッパを連結する第２ゴム状弾性体と、前記軸方向で設定長さだけ互いに近づいた状態の前記一対の中間筒に外嵌するとともに、前記第１ゴム状弾性体及び第２ゴム状弾性体の前記軸方向の弾性復元力に抗して前記一対の中間筒を保持する外筒とから成る防振ブッシュ。
【請求項２】
前記ストッパを前記内筒の全周にわたって形成し、前記一対の中間筒を、前記ストッパよりも大径の円筒部と、前記円筒部の軸方向の両端部のうち前記ストッパから遠い側の端部に連なる外側壁とから構成し、前記第１ゴム状弾性体を、前記一方の中間筒の円筒部の内周面と前記外側壁の内壁面とに加硫接着して、前記ストッパ側ほど内筒側に近づくテーパー筒状に形成し、前記第２ゴム状弾性体を、前記他方の中間筒の円筒部の内周面と前記外側壁の内壁面とに加硫接着して、前記ストッパ側ほど内筒側に近づくテーパー筒状に形成してある請求項１記載の防振ブッシュ。
【請求項３】
前記外筒の軸方向の両端部を径方向内方側に折曲して一対のフランジを形成し、この一対のフランジに前記一対の中間筒の外側壁を軸方向外方側から受止めさせることで、前記一対の中間筒を設定長さだけ前記軸方向で互いに近づいた状態に保持させてある請求項２記載の防振ブッシュ。
【発明の詳細な説明】
【技術分野】
【０００１】
本発明は防振ブッシュに関する。
【背景技術】
【０００２】
防振ブッシュは、例えば、自動車の車輪を支持するサスペンションのアーム部材の取付け孔に圧入され、車体側のコの字形の連結部材に挿入嵌合されてボルト連結される。この種の防振ブッシュを、内筒と、外筒と、内外筒間に介在して両者を連結するゴム状弾性体とから構成することも考えられるが、この構造では軸方向のばね定数があまり上がらないことから、従来、特許文献１に開示されているように、前記取付け孔に軸方向に並んで圧入される第１ブッシュと第２ブッシュとを設け、第１ブッシュを、一端部にフランジを備えた第１外筒と、一端部にフランジを備えた第１内筒と、これらを連結する第１ゴム状弾性体とで形成し、第２ブッシュを、一端部にフランジを備えた第２外筒と、一端部にフランジを備えた第２内筒と、これらを連結する第２ゴム状弾性体とで形成した防振ブッシュがあった。
【特許文献１】特開平１０−２３８５７７号公報
【発明の開示】
【発明が解決しようとする課題】
【０００３】
上記従来の構造によれば、第１ゴム状弾性体や第２ゴム状弾性体が外筒側のフランジと内筒側のフランジとに圧縮されることで、軸方向のばね定数を挙げることができるものの、防振ブッシュが第１ブッシュと第２ブッシュから成るために、部点数が多くて構造が複雑化するとともに、組付けに手間がかかるという問題があり、改善の余地が残されていた。
【０００４】
本発明の目的は、軸方向のばね定数を上げることができる構造でありながら、構造を簡素化でき、組付けを簡単に行うことができる防振ブッシュを提供する点にある。
【課題を解決するための手段】
【０００５】
本発明の特徴は、軸直角方向に突出するストッパを備えた内筒と、前記軸方向で前記ストッパを挟んで位置する一対の中間筒と、一方の中間筒とストッパの一方の側面との間に加硫成形されて前記一方の中間筒とストッパを連結する第１ゴム状弾性体と、他方の中間筒とストッパの他方の側面との間に加硫成形されて前記他方の中間筒とストッパを連結する第２ゴム状弾性体と、前記軸方向で設定長さだけ互いに近づいた状態の前記一対の中間筒に外嵌するとともに、前記第１ゴム状弾性体及び第２ゴム状弾性体の前記軸方向の弾性復元力に抗して前記一対の中間筒を保持する外筒とから成る点にある。
【０００６】
この構成によれば、第１ゴム状弾性体が一方の中間筒とストッパの一方の側面との間に加硫成形され、第２ゴム状弾性体が他方の中間筒とストッパの他方の側面との間に加硫成形されているから、内筒と外筒が軸方向に相対移動したときに、第１ゴム状弾性体と第２ゴム状弾性体に軸方向の圧縮力が作用するようになる。その結果、第１ゴム状弾性体と第２ゴム状弾性体にせん断力だけが作用する構造よりもばね定数を上げることができる。そして従来の構造のように、防振ブッシュを第１ブッシュと第２ブッシュとの二つのブッシュから構成した技術に比べると部品点数が少なくて済む。
【０００７】
外筒は、第１ゴム状弾性体及び第２ゴム状弾性体の軸方向の弾性復元力に抗して一対の中間筒を保持しているから、第１ゴム状弾性体及び第２ゴム状弾性体が予備圧縮された状態になり、ばね定数をさらに上げることができるとともに、第１ゴム状弾性体と第２ゴム状弾性体の耐久性を向上させることができる。
【０００８】
本発明において、前記ストッパを前記内筒の全周にわたって形成し、前記一対の中間筒を、前記ストッパよりも大径の円筒部と、前記円筒部の軸方向の両端部のうち前記ストッパから遠い側の端部に連なる外側壁とから構成し、前記第１ゴム状弾性体を、前記一方の中間筒の円筒部の内周面と前記外側壁の内壁面とに加硫接着して、前記ストッパ側ほど内筒側に近づくテーパー筒状に形成し、前記第２ゴム状弾性体を、前記他方の中間筒の円筒部の内周面と前記外側壁の内壁面とに加硫接着して、前記ストッパ側ほど内筒側に近づくテーパー筒状に形成してあると次の作用を奏することができる。
【０００９】
すなわち、第１ゴム状弾性体と第２ゴム状弾性体がテーパー筒状になっていることで、内筒と外筒が軸方向に相対移動したときに、第１ゴム状弾性体と第２ゴム状弾性体にせん断力と圧縮力の双方が作用するようになり、例えば圧縮力だけが作用する構造のようにばね定数が上がり過ぎることがなく、ばね定数を所望の大きさに設定しやすくすることができる。
【００１０】
前記外筒の軸方向の両端部を径方向内方側に折曲して一対のフランジを形成し、この一対のフランジに前記一対の中間筒の外側壁を軸方向外方側から受止めさせることで、前記一対の中間筒を設定長さだけ前記軸方向で互いに近づいた状態に保持させてあると、外筒で中間筒をより確実に上記の状態（前記軸方向で互いに近づいた状態）に保持することができる。
【発明の効果】
【００１１】
本発明によれば、軸方向のばね定数を上げることができる構造でありながら、構造を簡素化でき、組付けを簡単に行うことができる防振ブッシュを提供することができた。
【発明を実施するための最良の形態】
【００１２】
以下、本発明を実施するための最良の形態を図面に基づいて説明する。図１に、自動車の車輪を支持するサスペンションのアーム部材としてのロアリンク１と、車体側のコの字形の連結部材２とを防振ブッシュ５０を介して連結した構造を示してある。
【００１３】
防振ブッシュ５０は、ロアリンク１に形成した取付け孔Ｃに圧入され、前記連結部材２に挿入嵌合されてボルト連結される。詳しくは、図１，図２に示すように、軸直角方向に突出するストッパ３を軸方向の中央に備えた厚肉の内筒４と、軸方向でストッパ３を挟んで位置する左右一対の薄肉の中間筒５と、一方の中間筒５とストッパ３の一方の側面７との間に加硫成形されて一方の中間筒５とストッパ３を連結する第１ゴム状弾性体８と、他方の中間筒５とストッパ３の他方の側面９との間に加硫成形されて他方の中間筒５とストッパ３を連結する第２ゴム状弾性体１０と、軸方向で設定長さだけ互いに近づいた状態の一対の中間筒５に外嵌するとともに、第１ゴム状弾性体８及び第２ゴム状弾性体１０の軸方向の弾性復元力に抗して一対の中間筒５を保持する薄肉の外筒１１とから成る。この構造により第１ゴム状弾性体８と第２ゴム状弾性体１０とが予備圧縮された状態になっている。
【００１４】
内外筒４，１１及び中間筒５はいずれも円筒状に形成されている。そして、内筒４の中空孔に連結ボルト（図示せず）が挿通され、この連結ボルトによる連結状態で内筒４の両端面２３が前記連結部材２の取付け内壁面１７に圧接する。
【００１５】
前記ストッパ３を内筒４の全周にわたって円板状に形成し、一対の中間筒５を、ストッパ３よりも大径の円筒部１２と、円筒部１２の軸方向の両端部のうちストッパ３から遠い側の端部に連なる外側壁１３とから構成し、第１ゴム状弾性体８を、一方の中間筒５の円筒部１２の内周面１４と外側壁１３の内壁面１５とに加硫接着して、ストッパ３側ほど内筒４側に近づくテーパー筒状に形成し、第２ゴム状弾性体１０を、他方の中間筒５の円筒部１２の内周面１４と外側壁１３の内壁面１５とに加硫接着して、ストッパ３側ほど内筒４側に近づくテーパー筒状に形成してある。外側壁１３の内周縁２２は内筒４から離間している。またストッパ３を、第１ゴム状弾性体８及び第２ゴム状弾性体１０と一体に連なる薄いゴム壁１６で覆ってある。
【００１６】
第１ゴム状弾性体８と第２ゴム状弾性体１０のテーパー角は、一対の中間筒５を外筒１１に組付けた状態で約９０度に設定されている（組付け前は９０度以下である）。ストッパ３は内筒４と外筒１１の軸直角方向の相対変位を所定の範囲内に抑える。
【００１７】
外筒１１の軸方向の両端部を径方向内方側に折曲して一対のフランジ２１を形成し、この一対のフランジ２１に一対の中間筒５の外側壁１３を軸方向外方側から受止めさせることで、上記のように一対の中間筒５を前記設定長さだけ軸方向で互いに近づいた状態に保持させてある。
【００１８】
上記の構成により、内筒４と外筒１１が軸方向に相対移動したときに、第１ゴム状弾性体８と第２ゴム状弾性体１０に軸方向の圧縮力が作用する。そして、第１ゴム状弾性体８と第２ゴム状弾性体１０にせん断力だけが作用する構造よりもばね定数が大きい状態になっている。
【００１９】
［別実施形態］
前記外筒１１が外嵌した状態（図２）の一対の中間筒５の軸方向の間隔を、外筒１１が外嵌する前の自由状態（図１）の前記間隔よりも例えば４ｍｍ短くすることができる（すなわち前記設定長さを４ｍｍにすることができる）。上記の実施形態で挙げた数値は一例であり、別の数値であってもよい。
【図面の簡単な説明】
【００２０】
【図１】外筒に内嵌する前の状態の中間筒等を示す縦断面図
【図２】防振ブッシュの縦断面図
【符号の説明】
【００２１】
３……ストッパ、４……内筒、５……中間筒、７……ストッパの一方の側面、８……第１ゴム状弾性体、９……ストッパの他方の側面、１０……第２ゴム状弾性体、１１……外筒、１２……円筒部、１３……外側壁、１４……円筒部の内周面、１５……外側壁の内壁面、
【図１】
2005330976.tif 000003
【図２】
2005330976.tif 000004